(57)【要約】【課題】クランプ圧力の微調整が可能で、且つ厚み誤差を吸収可能なトグルクランプを提供する。【解決手段】トグルクランプ１のクランプアーム４は、一端にクランプアーム４からほぼ垂直に延びる出力ロッド２０を備えており、出力ロッド２０は、クランプ方向に伸縮するばね部材４１を介して物品に接触する接触部３５を有し、且つクランプ時におけるばね部材４１の圧縮量を調節可能であることを特徴とする。ばね部材４１のクランプ時の圧縮量を調節することによってクランプ圧力を所望の値とすることができる。ばねによって加えられる力（圧力）Ｆは、圧縮量に比例するため、従来のトグルクランプで接触部の位置を調節して圧力を調整する場合に比して、調整代が増幅されているため、微調整が容易である。また、ばね部材４１の圧縮により物品の厚み誤差、例えば位置ずれを吸収してクランプすることができる。【選択図】        図１
2005297322.tif 000002
【特許請求の範囲】
【請求項１】
ベース部材と、クランプアームと、操作レバーとを備えるトグルクランプであって、
前記クランプアームは、一端に当該クランプアームからほぼ垂直に延びる出力ロッドを備えるとともに、他端でベース部材に回動自在に連結され、
前記操作レバーは、一端が把持可能に形成されるとともに、他端側で前記ベース部材と前記クランプアームとに少なくとも一つのリンク機構を介して連結されてトグル機構を構成し、当該操作レバーの回動によって前記クランプアームが回動して物品をクランプ可能なクランプ位置とクランプが解除される解除位置とに切り替え可能に設けられており、
前記出力ロッドは、クランプ方向に伸縮するばね部材を介して物品に接触する接触部を有し、且つクランプ時における前記ばね部材の圧縮量を調節可能であることを特徴とする、トグルクランプ。
【請求項２】
前記接触部を、クランプアームの解除位置においてクランプ時とほぼ同じ位置に保持可能である、請求項１に記載のトグルクランプ。
【請求項３】
前記出力ロッドは、前記ばね部材の一端が圧接される押え部と、押え部の前記クランプアームに対するクランプ方向の位置を調節可能な調節具とを有し、
前記接触部は、板状のプレート部材に形成されるとともに、当該プレート部材から延びるシャフトを介してクランプアームに一体化され、
前記ばね部材は、前記シャフトに通されて一端が前記押え部に、他端が前記プレート部材に圧接されるコイルばねに形成されている、請求項１または２に記載のトグルクランプ。
【請求項４】
軟化状態の樹脂成形体の立体形状を維持して保持可能な成形治具であって、
前記樹脂成形体の凹凸面とほぼ同一面を成すように延びる線条部材から構成され、この線条部材は水平で互いに直行する２方向において所定の間隔で位置している面受け部と、
前記面受け部の外周に沿って配置され、前記線条部材との間で前記樹脂成形体をクランプする請求項１から３のいずれかに記載のトグルクランプとを備えることを特徴とする成形治具。
【発明の詳細な説明】
【技術分野】
【０００１】
本発明は、物品を把持するためのトグルクランプに関し、特に、樹脂成形中に樹脂を把持するのに好適なトグルクランプ及び治具に関する。
【背景技術】
【０００２】
近年、非石油資源に由来する材料の利用が進められており、例えば、熱可塑性樹脂においては生物資源からの大量生産が可能なポリ乳酸は、ポリエチレンやポリプロピレンなどの代替として注目されている。ポリ乳酸は、その成形、加工の点では上記従来の樹脂と同様にして利用できるが、製品における耐熱性が低いことが問題となる場合がある。この問題に対しては、製品中のポリ乳酸の結晶化度を向上させることによりある程度対処することができ、結晶化度を向上させるためにポリ乳酸を溶融状態から固化させるときに所定の温度に保持して結晶化を促す方法がある（例えば、特許文献１参照。）。
【０００３】
【特許文献１】特開２００４−１０６４２号公報
【特許文献２】特開２００２−１３５１０号公報
【発明の開示】
【発明が解決しようとする課題】
【０００４】
ポリ乳酸の結晶化処理は所定時間を要するため、成形体では、成形型から成形体を出して結晶化処理することが好ましいが、冷却時の樹脂の圧縮による変形を抑制するための対策が必要である。このため、例えば、成形体の外周をクランプによって押さえることが考えられるが、結晶化処理時、ポリ乳酸は軟化状態であるため、強い圧力でクランプすると成形品に跡が残ってしまう。したがって、クランプにおいてクランプ圧力の調整が必要となるが、軟化状態の樹脂、特に表皮が一体化されている樹脂に跡を残さないためには、例えば、１５０ｇ／ｃｍ2以下という微小な単位での調整が必要となる。また、成形効率の観点から、成形体を精密に所定の位置におく手間がないことが好ましく、位置ずれやそれに伴う厚み誤差にも対応できる柔軟性を備えることが好ましい。なお、特許文献２に開示されているトグルクランプでは、出力ロッドがエアシリンダを介してクランプアームに取り付けされており、クランプされる部品の位置ずれ（厚み誤差）を解消してクランプ可能であるが、クランプ厚みによって把持圧力が大きく変化してしまう。
また、ポリ乳酸の結晶化処理において成形体を型から取り出して放置すると、自重による撓みにより変形してしまうおそれもある。
【０００５】
そこで、本発明では、クランプ圧力の微調整が可能で、且つ厚み誤差を吸収可能なトグルクランプを提供することを課題とする。
また、本発明では、軟化状態の成形体を良好に保持して変形を抑制できる成形治具を提供することを課題とする。
【課題を解決するための手段】
【０００６】
上記課題を解決するための手段として、本発明の第１発明は、ベース部材と、クランプアームと、操作レバーとを備えるトグルクランプであって、前記クランプアームは、一端に当該クランプアームからほぼ垂直に延びる出力ロッドを備えるとともに、他端でベース部材に回動自在に連結され、前記操作レバーは、一端が把持可能に形成されるとともに、他端側で前記ベース部材と前記クランプアームとに少なくとも一つのリンク機構を介して連結されてトグル機構を構成し、当該操作レバーの回動によって前記クランプアームが回動して物品をクランプ可能なクランプ位置とクランプが解除される解除位置とに切り替え可能に設けられており、前記出力ロッドは、クランプ方向に伸縮するばね部材を介して物品に接触する接触部を有し、且つクランプ時における前記ばね部材の圧縮量を調節可能であることを特徴とするトグルクランプを提供する。
この発明によれば、ばね部材のクランプ時の圧縮量を調節することによってクランプ圧力を所望の値とすることができる。特に、ばねによって加えられる力（圧力）Ｆは、ばね定数をｋ、圧縮量（ばね変形量）ｘとしたとき、Ｆ＝ｋｘと、圧縮量に比例する。このため、従来のトグルクランプで接触部の位置を調節して圧力を調整する場合に比して、調整代が増幅される。したがって、圧縮量の調整により、精密な、より小さい単位での圧力調整が可能であり、微調整も容易である。また、使用されるばね部材のばね定数により、種々のクランプ圧力を達成することができる。したがって、このトグルクランプでは、容易に且つより精密にクランプ圧力を調節できる。また、ばね部材の圧縮により物品の厚み誤差、例えば位置ずれを吸収してクランプすることができる。
また、本発明の第２発明は、第１発明において、前記接触部を、クランプアームの解除位置においてクランプ時とほぼ同じ位置に保持可能であることを特徴とする。
この発明によれば、物品をクランプしていない時にも、接触部がクランプ時とほぼ同じ位置に位置するため、クランプアームが解除位置からクランプ位置まで回動されるときに、接触部がより早い段階で物品に接触して擦れることを抑制して、物品を所定の位置でクランプすることができる。したがって、このトグルクランプでは、クランプ動作及びクランプ解除動作中に接触部が物品を損傷することが良好に回避される。
また、本発明の第３発明は、第１または第２発明において、前記出力ロッドは、前記ばね部材の一端が圧接される押え部と、押え部の前記クランプアームに対するクランプ方向の位置を調節可能な調節具とを有し、前記接触部は、板状のプレート部材に形成されるとともに、当該プレート部材から延びるシャフトを介してクランプアームに一体化され、前記ばね部材は、前記シャフトに通されて一端が前記押え部に、他端が前記プレート部材に圧接されるコイルばねに形成されていることを特徴とする。
この発明によれば、押え部のクランプに対する位置を調節することにより、クランプ時におけるばね部材の圧縮量を調節することができる。また、ばね部材はシャフトによって圧縮方向がガイドされており、物品にはプレート部材が接触するため、接触部により物品に均一なクランプ圧力が加えられる。したがって、このトグルクランプでは、簡単な構成で、且つ簡単な操作でクランプ圧力を調節することができる。
また、本発明の第４発明は、軟化状態の樹脂成形体の立体形状を維持して保持可能な成形治具であって、前記樹脂成形体の凹凸面とほぼ同一面を成すように延びる線条部材から構成され、この線条部材は水平で互いに直行する２方向において所定の間隔で位置している面受け部と、前記面受け部の外周に沿って配置され、前記線条部材との間で前記樹脂成形体をクランプする第１発明から第３発明のいずれかのトグルクランプとを備えることを特徴とする成形治具を提供する。
この発明によれば、面受け部は、線条部材で形成されているため、樹脂成形体との接触面積が軽減されて面受け部による温度規制が少なくなっている。また、線条部材は、保持される樹脂成形体の凹凸面と同一面を成し、且つ水平で互いに直行する２方向に所定の間隔で位置するため、より確実に樹脂成形体の自重によるたれや、冷却される場合の樹脂の収縮を抑制できる。そして、外周に設けられたトグルクランプは、クランプ圧力を微小に設定可能、且つ微調整が容易で、位置ずれによる厚み誤差を吸収できるため、軟化状態の樹脂成形体にクランプ跡が残らないクランプ圧力で良好に樹脂成形体を保持することができる。したがって、この成形治具では、軟化状態の樹脂成形体を所定の形状に良好に保持することができる。
【発明の効果】
【０００７】
本発明によれば、クランプ圧力の微調整が可能で、且つ厚み誤差を吸収可能なトグルクランプを提供することにより、種々の物品を所望のクランプ圧力で保持することができ、また、厚み誤差が吸収されるため、物品の設置精度を低めに設定することができる。
また、本発明では、軟化状態の成形体を良好に保持して変形を抑制できる成形治具を提供することにより、軟化状態の成形体を型から取り出して所望の処理、加工を施すことができる。
【発明を実施するための最良の形態】
【０００８】
以下に本発明を実施するための最良の形態を図面を用いて説明する。
本発明の一実施形態に係るトグルクランプを、図１から図４を参照して説明する。トグルクランプ１は、ベース部材２と、それぞれ一端でベース部材２に回動自在に連結されたクランプアーム４と操作レバー６とを備えており、クランプアーム４と操作レバー６とがリンク８によって連結されている。
【０００９】
ベース部材２は、本実施形態では互いに平行に配置される２枚の板状部材で構成されている。ベース部材２の板状部材は、下端が互いに外側にほぼ同一面上を延びる固定部に形成されており、固定部からほぼ垂直に互いに平行に延びる部分は、固定部を底辺とする直角三角形状に形成されている。
【００１０】
クランプアーム４は、本実施形態では互いに平行に配置される２枚の板状部材で構成されている。クランプアーム４は、図１の方向における上面視において略Ｙ字状に形成されており、各板状部材は、中間部分で対称的に曲げ成形されて、一端側における板状部材どうしの間隔が他端側における板状部材どうしの間隔よりも広くなるように形成されている。クランプアーム４のより幅広の端部には、後述する出力ロッド２０が装着されている。また、クランプアーム４のより幅の狭い端部は、ベース部材２の２枚の板状部材の間に挿入されてベース部材２の上部、すなわち三角形状の頂点部分にボルト１０等によって連結されている。クランプアーム４は、このボルト１０を中心に回動可能となっている。
【００１１】
操作レバー６は、本実施形態では互いに平行な２枚の板状部材で構成されている。操作レバー６は、図１の方向における側面視において略Ｙ字状に形成されており、各板状部材は中間部分で対称的に曲げ成形されて、一端における板状部材どうしの間隔が、他端側における板状部材どうしの間隔より小さくなるように形成されている。操作レバー６は、より幅広の部分においてベース部材２及びクランプアーム４の中間部分を挟んで互いに平行に配置されており、より幅広な一端でベース部材２の下部にボルト１１等によって連結されている。操作レバー６は、このボルト１１を中心に回動可能となっている。操作レバー６のより幅の狭い端部側では、２枚の板状部材が隣接しており、樹脂製のカバー７が被せられて把持部に形成されている。
【００１２】
操作レバー６とクランプアーム４とは、リンク８によって連結されており、これによりトグル機構が構成されている。リンク８は、互いに平行に配置される２枚の板状部材で構成されており、クランプアーム４の２枚の板状部材の間に位置している。図１に示すように、リンク８の一端は、クランプアーム４の中間部分にボルト１２によって、他端は操作レバー６のクランプアームより上の部分にボルト１３によって、それぞれ回動自在に連結されている。リンク８は、図１に示すようなクランプアーム４がほぼ水平に延びるクランプ位置において、操作レバー６の回動中心（ボルト１１）とリンク８の各回動中心（ボルト１２とボルト１３）とがほぼ同一直線上に位置するように設定されている。
【００１３】
出力ロッド２０は、クランプ時に鉛直に延びるようにクランプアーム４に固定されており、ばね部材４１を介してクランプアーム４に取り付けられる接触部３５を備えている。本実施形態の出力ロッド２０は、押え部２２を備えるシリンダ２４と、調節具２６と、接触部３５と、ばね部材４１と、ストッパ４３とを備える。
【００１４】
シリンダ２４は、いわゆるパイプであり、クランプアーム４の端部にクランプアーム４に対して垂直に延びるように調節具２６によって固定されている。図１，２に示すように、シリンダ２４の下端に、シリンダ２４の外周から矩形板状に突出する押え部２２が一体に設けられている。
調節具２６は、押え部２２のクランプ方向の位置を調節可能な部材であり、本実施形態では、シリンダ２４を位置調節可能に固定する支柱クランプによって形成されている。調節具２６は、シリンダ２４の外周を包囲して締め付けることによりシリンダ２４を固定でき、図１に示すように、一端が開放された開環リング２７と開放端どうしを連結し所望の間隔まで締め付け可能な締め付けボルト２８とを備える。調節具２６は、クランプアーム４の上面に沿って配置され、クランプアーム４の下面に配置したワッシャ３０とピン３１とによってクランプアーム４に固定されている。
【００１５】
接触部３５は、図２に示すように、プレート部材３６とプレート部材３６から延びるシャフト３９とを備えている。プレート部材３６は、クランプ時に物品に接触する面を形成しており、本実施形態では正方形状の板によって形成されている。プレート部材３６の物品接触面には、好ましくは干渉部材３７が付与される。干渉部材３７は、プレート部材３６より柔軟な素材であり、編物、織物、不織布、圧延シートなど種々のシートを用いることができる。また、物品接触面が粗面に形成されていると、クランプ跡が形成された場合も目立ちにくい。例えば、発泡層とエンボス加工が施された表皮層とを備える表皮シートを用いることができる。シャフト３９は、プレート部材３６の物品と接触する面と反対の面から垂直に延びる長軸部材で、本実施形態ではシリンダ２４の内径より小さい外径を有する管状に形成されている。接触部３５は、シャフト３９がシリンダ２４内に挿入されており、ストッパ４３によってシリンダ２４内に保持される。
【００１６】
ストッパ４３は、接触部３５を出力ロッド２０に一体化する部材であり、本実施形態では、シャフト３９がシリンダ２４から抜け落ちるのを防ぐ抜け止め部材によって形成されている。ストッパ４３は、図２に示すように、頭部４３ａがシリンダ２４の内径より大きい径を有するボルトによって形成されており、軸部４３ｂに付与されている雄ねじ（図示せず）に対応する雌ねじ（図示せず）が接触部３５のシャフト３９の内面に形成されており、ねじ込みによって接触部３５に固定されている。
本実施形態におけるストッパ４３は、シャフト３９へのねじ込み量を変えることによって、ストッパ４３の頭部４３ａからプレート部材３６までの距離を変えることができる。このため、シリンダ２４のクランプ方向の位置とは独立して接触部３５、すなわちプレート部材３６のクランプ方向の位置を調節することができ、クランプアームの解除位置においてクランプ時とほぼ同じ位置に保持することもできる。すなわち、図３に示すように、クランプが解除されている状態においても、接触部３５のプレート部材３６をクランプ時とほぼ同じ位置に配置することができる。この構成により、クランプ動作時に物品にプレート部材３６の角が圧接されて物品が損傷することを防ぐことができ。なお、プレート部材３６の解除状態における位置は、クランプ時よりも若干下方に突出する位置であると、物品にクランプ圧力を徐々に加えることができるとともに、物品の厚みが標準よりも薄い場合にもクランプすることができ、好ましい。
【００１７】
ばね部材４１は、伸縮可能な部材であり、典型的にはコイルばねである。ばね部材４１は、本実施形態では、接触部３５のシャフト３９に通されてプレート部材３６の上面と押え部２２との間で圧縮されている。
【００１８】
このトグルクランプ１を用いて物品をクランプするには、まず、押え部２２の位置を調節してクランプ圧力を調節する。押え部２２の位置は、装着されているばね部材４１のばね定数から所望のばね部材４１の圧縮量を求め、物品をクランプするときのプレート部材３６の高さ位置から押え部２２までの距離を、求めた圧縮量におけるばね部材４１の長さとなるように調節する。また、このとき、押え部２２の位置、すなわちシリンダ２４の高さに合わせてストッパ４３の位置を調節し、解除状態において、図３に示すように、クランプ時よりもわずかに接触部３５が下方に突出するようにする。
【００１９】
次に、図３に示すように物品１００をトグルクランプ１のクランプアーム４の下方に配置し、操作レバー６を図３に示す位置から図４に示す位置まで回動させる。これにより、クランプアーム４は、操作レバー６とリンク８とで形成されるトグル機構によって、クランプ位置に安定に保持される。クランプアーム４が回動すると、クランプ位置の直前で、物品１００に接触部３５が接触する。このとき、プレート部材３６は、面接触に近い状態で物品１００に軽く触れる。クランプ圧力は、この後クランプアーム４がクランプ位置に至るまで徐々に増加し、クランプ位置では、予め設定したクランプ圧力となりクランプが完了する。
このトグルクランプ１による物品１００のクランプを解除する場合は、操作レバー６を図４に示す位置から図３に示す位置まで回動させることにより、クランプ動作のときと逆の動作が起こり、物品１００のクランプを解除することができる。
【００２０】
このトグルクランプ１によれば、従来と同様のベース部材２、クランプアーム４、操作レバー６を用いて、クランプ圧力の調整代が大きく、簡単にクランプ圧力を細かく調整することができるトグルクランプとなっている。特に、ばね部材を介して接触部３５を設けるとともに、接触部３５を予めクランプ時とほぼ同じ位置までばね部材を圧縮させて保持することができるため、クランプ動作及びクランプ解除動作も従来と同様の方法でよく、簡単である。さらに、ばね部材によって物品１００の厚み誤差を吸収してクランプすることも可能であるため、物品の設置もより精密な位置決めを必要とせず、簡単である。
【００２１】
また、ばね部材４１を種々に変更することにより、様々な物品１００への対応が可能であり、種々のクランプ圧力において精密な設定をしたり、柔軟性を持たせることができる。例えば、ばね定数が異なるばね部材４１を用いることにより、同一のクランプにおいて１０倍以上のクランプ圧力を発揮させることができる。また、例えば、ばね定数が小さく、比較的長いばね部材を用いることにより、厚み誤差が大きい物品１００についても、厚みの違いによるクランプ圧力の変化をより小さくすることができる。
【００２２】
次に、本発明に係る成形治具の一実施の形態について、図５，６を参照して説明する。
図５に示す成形治具５１は、ほぼ平板状で、表面に複雑な凹凸形状を有する樹脂成形体１０１を軟化状態において、その形状を安定に維持して保持できるものである。成形治具５１は、枠体５２と、複数の線条部材６１より成る面受け部５４と、複数のトグルクランプ１とを備えている。
【００２３】
枠体５２は、保持しようとする樹脂成形体１０１の外郭に沿う形状に形成され、線条部材６１とトグルクランプ１とが所定の位置関係となるように設置される部材である。本実施形態では、枠体５２は、長方形状の空間を備える枠に形成されており、各辺は、断面長方形の同一の材によって形成されている。
なお、図５において、枠体５２の左右両対辺部分の上面には、持ち運び用の取っ手５３が複数設けられている。
【００２４】
面受け部５４は、図６に示すように、軟化状態の樹脂成形体１０１の凹凸面に沿って樹脂成形体１０１に接触して受ける部材であり、樹脂成形体１０１に接触する部位が線条５６、すなわち細幅で所定方向に連続する形状となっている。樹脂成形体１０１に接触する線条５６は、水平、すなわち重力を垂直に受ける面において互いに直行する２方向において所定の間隔で存在する。これにより、樹脂成形体１０１全体の重みをより均等に分散させて保持することができ、特定の部位のみに樹脂成形体１０１の荷重がより強くかかって面受け部５４の跡が樹脂成形体１０１についたり、部分的にたれが発生したりすることを防ぐことができる。線条５６の走行形態は、この条件において、特に限定されず、格子状や波状などに形成することができ、例えば、格子状では、格子の空間が正方形、長方形、平行四辺形、あるいは曲線を伴う種々の形状に設定することができる。
また、面受け部５４は、限定されるものではないが、樹脂成形体１０１に接触しない部分は空隙とされることが好ましい。この構成により、面受け部５４と樹脂成形体１０１との間の空間を良好に開放することができ、樹脂成形体１０１の面受け部５４に接触する面とその反対の面での温度条件が面受け部５４によって変化することを抑制することができる。したがって、面受け部５４の線条５６は、チューブや針金などの実質的に線状の部材や、厚み部分が線条５６を構成するパネルなどによって形成されることが好ましい。
【００２５】
本実施形態では、面受け部５４は、複数の線条部材６１によって構成されている。線条部材６１は、図６に示すように、パネル６２と基台６４とから構成されている。
パネル６２は、下端が直線状に形成され、上端が、それぞれ取り付けられる枠体５２の位置に対応する樹脂成形体１０１の凹凸面に沿う曲線に形成されている。パネル６２は、上下両端の厚みが増大されているＩ字状に形成されており、これにより線条５６を成す上端は、面で樹脂成形体１０１を受けることができる。また、下端は、基台６４にはめ込まれて固定される接続部分に形成されている。なお、本実施形態のパネル６２には、所定の間隔で貫通穴６２ａが設けられており、パネル６２によって仕切られる空間どうしにおける空気の移動をよりスムーズにしている。
基台６４は、図６に示すように、パネル６２の下端部分をパネル面に沿うスライドによってはめ込むことができる溝６５を備える長軸部材である。基台６４は、図５に示すように、枠体５２に囲まれた空間を通って両端が枠体５２に固定されている。本実施形態では、基台６４は、枠体の各対辺にまたがって所定の間隔で固定されており、枠体５２の空間に格子を形成している。
【００２６】
トグルクランプ１は、上述したとおりの構成であるため、説明を省略する。トグルクランプ１は、所定の間隔で、枠体５２の上面に取り付けられており、クランプ時に接触部３５のプレート部材３６に線条部材６１が対向する位置及び高さに取り付けられている。本実施形態では、トグルクランプ１は、図６に示すように台座６８を介して枠体５２に取り付けられている。また、枠体５２の長辺側、すなわち図５における左右方向に延びる辺では、線条部材６１の交点に対応する位置に、設置されている。この構成は、樹脂成形体１０１にかかる圧力をより良好に分散させることができ、好ましい。
【００２７】
この成形治具５１を使用するには、プレス成形あるいは射出成形等によって熱可塑性材料を成形して樹脂成形体を得、固化させた後でこの成形治具５１の面受け部５４の凹凸面に樹脂成形体１０１の凹凸面を密着させるように載置する。次に、予めクランプ圧力を調整しておいたトグルクランプ１において、操作レバー６を回動させてクランプアーム４をクランプ位置まで回動させる。これにより、樹脂成形体１０１の端部を複数のトグルクランプ１でクランプでき、樹脂成形体１０１の保持が完了する。
この状態で、例えば、所定の温度に保たれた炉に放置したり、成形体に修飾、加工などを施したりすることができる。そして、典型的には、樹脂成形体が固化するまで冷却した後、トグルクランプ１のクランプを解除することで、成形治具５１より樹脂成形体１０１を取り外すことができる。
【００２８】
この成形治具５１は、面受け部５４で樹脂成形体１０１の凹凸面に密着して、樹脂成形体１０１の重量を良好に分散させて保持するため、樹脂成形体１０１にかかる荷重がより均一且つ良好に軽減され、その立体形状が安定に維持される。また、樹脂成形体１０１の外周端は、所定の間隔でトグルクランプ１によってクランプされるため、樹脂成形体１０１がタレ等の変形のために位置ずれしたり、冷却に伴う樹脂の収縮によって縮んだりすることが良好に抑制され、変形が抑制、軽減される。
【００２９】
特に、トグルクランプ１を用いることにより、より弱いクランプ圧力において、より精密にクランプ圧力を調整してのクランプが可能であるため、クランプ跡の発生を良好に抑制して確実に保持することができる。また、トグルクランプ１は、厚み誤差の吸収も可能であるため、面受け部５４へ樹脂成形体１０１の凹凸面を密着させる程度のセッティングにおいても確実にクランプすることができる。
【００３０】
本発明は、上記実施形態に限定されず、種々の変更、改良が可能である。
トグルクランプのトグル機構、すなわち、ベース部材、操作レバー、クランプアームの構成は、公知の種々の形態とすることができ、例えば、クランプアームの端部はベース部材に連結され、操作レバーは、リンクを介してベース部材に連結され、操作レバーの端部とクランプアームの中間とが直接連結される構成であっても良い。
また、出力ロッドの形状は、上記実施形態に限定されない。例えば、接触部を有底円筒状に形成して、その内部にばね部材が配置される構成であっても良い。この場合において、例えば、接触部を解除状態においてもクランプ位置とほぼ同じ位置に保持する部材は、円筒状の接触部の外周面に形成された貫通穴に挿入されたボルトによって形成され、クランプアーム側に固定されて接触部内に位置するシリンダの外周に当たって締め付け固定する構成とすることができる。
また、例えば、本実施形態において、押え部２２をシリンダ２４とは独立して位置調節可能に設けても良い。この場合、ストッパ４３は、接触部３５のシャフト３９に完全に固定して設けられていても良い。この場合、予め固定された状態において、解除状態において接触部３５がクランプ位置とほぼ同じ位置に保持される長さ関係に調整しておくことにより、接触部３５は解除状態においてもクランプ時とほぼ同じ位置に保持される。
【００３１】
また、トグルクランプ１は、特に、上述したような軟化状態の樹脂成形体１０１を保持する処理で用いられる成形治具に好適であるが、例えば、各種測定におけるサンプルの保持など他の用途に用いても良いことはもちろんである。特に、圧縮によって厚みが塑性変形する物品や、表面に跡がつきやすい物品、あるいは、感圧部材など、圧力によって剥離等する部材の保持にも良好に使用することができる。
【図面の簡単な説明】
【００３２】
【図１】本発明に係るトグルクランプの一実施形態を示す斜視図である。
【図２】図１に示すトグルクランプの出力ロッド部分の側断面図である。
【図３】図１に示すトグルクランプの解除位置における状態を示す平面図である。
【図４】図１に示すトグルクランプのクランプ位置において物品をクランプした状態を示す平面図である。
【図５】本発明に係る成形治具の一実施形態を示す斜視図である。
【図６】図５に示す成形治具のトグルクランプ部分を示す側断面図である。
【符号の説明】
【００３３】
１  トグルクランプ
２  ベース部材
４  クランプアーム
６  操作レバー
７  カバー
８  リンク
１０，１１，１２，１３  ボルト
２０  出力ロッド
２２  押え部
２４  シリンダ
２６  調節具
２７  開環リング
２８  締め付けボルト
３０  ワッシャ
３１  ピン
３５  接触部
３６  プレート部材
３７  干渉部材
３９  シャフト
４１  ばね部材
４３  ストッパ
４３ａ  頭部
４３ｂ  軸部
５１  成形治具
５２  枠体
５３  取っ手
５４  面受け部
５６  線条
６１  線条部材
６２  パネル
６２ａ  貫通穴
６４  基台
６５  溝
６８  台座
１００  物品
１０１  樹脂成形体
【図１】
2005297322.tif 000003
【図２】
2005297322.tif 000004
【図３】
2005297322.tif 000005
【図４】
2005297322.tif 000006
【図５】
2005297322.tif 000007
【図６】
2005297322.tif 000008